(57)【要約】  【課題】  太陽電池素子の電極に接続タブをハンダ付けする時に電極からハンダがはみ出し、このはみ出したハンダを引っ張るように応力が働くため、はみ出したハンダの端部直下のシリコン基板にクラックが発生することがあり、太陽電池モジュールの信頼性を低下させたり、その歩留りを低下させることがあった。  【解決手段】  バスバー電極２１の幅方向の中心位置に対して接続タブ２３の幅方向の中心位置を熱風の吹き出し口２４側にずらす。  【選択図】  図１
2006278742.tif 000002
【特許請求の範囲】
【請求項１】
太陽電池素子同士を電気的に接続するための帯状の接続タブを太陽電池素子の主面上に設けられた電極上にハンダを介して配置し、前記接続タブの斜め上方向から熱風を吹き付けることにより前記接続タブと前記電極をハンダ付けする太陽電池モジュールの製造方法において、
前記電極上に配置した接続タブは、前記電極の幅方向の中心位置に対する前記接続タブの幅方向の中心位置を、前記熱風の吹き出し口側にずらしたことを特徴とする太陽電池モジュールの製造方法。
【請求項２】
前記電極の幅方向の長さが、前記接続タブの幅方向の長さと同一或は大きく、かつ前記接続タブの幅方向の中心位置を前記熱風の吹き出し口側にずらす量（ｄ）を、ｄ=ｃ−｛（ａ−ｂ）／２｝（ａは電極の幅方向の長さ、ｂは接続タブの幅方向の長さ、ｃは接続タブ位置決め誤差の最大値）（但しｄ≦０．１の場合は０．１とする）としたことを特徴とする請求項１に記載の太陽電池モジュール製造方法。
【発明の詳細な説明】
【技術分野】
【０００１】
本発明は太陽電池モジュールの製造方法に関するものであり、特に太陽電池素子同士を電気的に接続するための接続タブを太陽電池素子に取り付ける、その取り付け方法に関するものである。
【背景技術】
【０００２】
太陽電池素子は単結晶シリコン基板や多結晶シリコン基板を用いて作製することが多い。このため太陽電池素子は物理的衝撃に弱く、また野外に太陽電池を取り付けた場合に、雨などからこれを保護する必要がある。また、太陽電池素子１枚では発生する電気出力が小さいため、複数の太陽電池素子を直並列に接続して、実用的な電気出力が取り出せるようにする必要がある。このため複数の太陽電池素子を接続して透光性基板とエチレンビニルアセテート共重合体（ＥＶＡ）などを主成分とする充填材で封入して太陽電池モジュールを作成することが通常行われている。
【０００３】
図６は従来の太陽電池モジュールの受光面側の外観の一例を示した図である。
【０００４】
図６において、１は透光性基板、２は太陽電池素子、３は接続タブ、４はモジュール枠を示す。
【０００５】
太陽電池モジュールは、上述のように透光性基板１と裏面シート（不図示）の間に接続タブ３より電気的に接続された複数の太陽電池素子２を充填材で封入した太陽電池パネルを作成し、この外周部にモジュール枠４を取り付けて、そのコーナー部分をビス止めしモジュール枠４を固定している。
【０００６】
このような太陽電池モジュールにおいて、接続タブ３は太陽電池素子２同士を電気的に直列又は並列に接続するために太陽電池素子２の電極に接続されるものである。（特許文献１の従来技術参照）
このような接続タブ３は、通常厚さ０．１〜１．０ｍｍ程度、幅１〜３ｍｍ程度の銅箔の全面をハンダコートしたものを所定の長さに切断して用いている。
【０００７】
図７は、太陽電池素子に接続タブを接続する従来の装置の一例を示したものである。図７において符号２、３は図５と同様に２は太陽電池素子、３は接続タブを示し、さらに１０は太陽電池素子の電極、１１は押しつけピン（プローブシャフト）、１２は熱風吹き出しノズルを示す。
【０００８】
これにおいて接続タブ３の太陽電池素子２の電極５への取り付けは、次の手順で行っている。まず取り付ける太陽電池素子２の電極１０の上へ接続タブ３を持ってくる。その後押しつけピン１１を下ろし、接続タブ３を電極１０に押しつける。その後ノズル１２から、４００から５００℃程度の熱風を数秒程度、上記の押しつけピン１１で接続タブ３を電極１０に押しつけている部分に吹き付け、接続タブ３のハンダと電極１０のハンダを融かし両者を接続する。その後ハンダが固化したら、押しつけピン１１を上げる。（特許文献２参照）
この出願の発明に関連する先行技術文献情報としては次のようなものがある。
【特許文献１】特開平１１−３１２８２０号公報
【特許文献２】特開２００３４７５０２号公報
【発明の開示】
【発明が解決しようとする課題】
【０００９】
図７に示したような従来の接続タブ取り付け装置では、押しつけピン１１は接続タブ３が所定の位置から動かないように太陽電池素子２に対して垂直方向に押さえ、熱風吹き出しノズル１２は太陽電池素子２に対して斜め上方向から熱風を吹き出す様になっている。
【００１０】
また従来の接続タブ取り付け装置では、太陽電池素子２の電極１０の幅方向の中心位置と接続タブ３の幅方向の中心位置が合うように太陽電池素子２の電極１０上に接続タブを配置するようにしている。
【００１１】
しかし実際には、自動化された接続タブ取り付け装置における接続タブ３の位置決め精度に起因する誤差があるため、太陽電池素子２の電極１０の幅方向の中心位置と接続タブ３の幅方向の中心位置が合わない場合が発生し、幅方向で太陽電池素子２の電極１０から接続タブがずれた状態でハンダ付けされることがある。
【００１２】
図８は、太陽電池素子２の電極１０の幅方向の中心位置に対し接続タブ３の幅方向の中心位置が熱風吹き出し方向（熱風吹き出しノズルから離れる方向）にずれた場合を模式的に示す幅方向の断面図である。
【００１３】
図８において、符号２、３、１０、１２は上述の図と同様に２は太陽電池素子、３は接続タブ、１０は太陽電池素子の電極、１２は熱風吹き出しノズルを示し、さらに１５は電極と接続タブの間のハンダ、１６は電極からはみ出したハンダ、１７はクラックを示す。
【００１４】
図８に示すように太陽電池素子２の電極１０に対し接続タブが熱風吹き出し方向にずれて配置された場合、ハンダ付け時に電極１０上からハンダ１６がはみ出してしまい、さらにこの状態で溶融したハンダが固化するときに、ハンダの幅方向の温度差のために、熱風吹き出しノズル１２から遠いこのはみ出したハンダ１６が最初に固化し、電極１０と接続タブ３の間のハンダ１５は遅れて固化することになる。この時電極１０と接続タブ３の間のハンダ１５は、その固化に伴う収縮のため、既に固化しているはみ出したハンダ１６を引っ張るように応力が働くこととなる。
【００１５】
この固化しているはみ出したハンダ１６を引っ張るように働く応力のため、はみ出したハンダ１６の端部直下のシリコン基板にクラック１７が発生することがあり、太陽電池モジュールの信頼性を低下させたり、太陽電池モジュール製造工程において、その歩留りを低下させることがあった。
【００１６】
本発明はこのような問題に鑑みなされたものでありその目的は、太陽電池素子の電極への接続タブ取り付けに際し、接続タブ３の位置決め精度に起因する誤差があっても、シリコン基板にクラック１７が発生することを抑制でき、これにより太陽電池モジュール製造工程の歩留りを向上させ、高信頼性の太陽電池モジュールの製造方法を提供することである。
【課題を解決するための手段】
【００１７】
上記目的を達成するために本発明では、太陽電池素子同士を電気的に接続するための帯状の接続タブを太陽電池素子の主面上に設けられた電極上にハンダを介して配置し、前記接続タブの斜め上方向から熱風を吹き付けることにより前記接続タブと前記電極をハンダ付けする太陽電池モジュール製造方法において、前記電極上に配置した接続タブは、前記電極の幅方向の中心位置に対する前記接続タブの幅方向の中心位置を前記熱風の吹き出し口側にずらしたことを特徴とする。
【００１８】
また前記電極の幅方向の長さが前記接続タブの幅方向の長さと同一或は大きく、かつ前記接続タブの幅方向の中心位置を前記熱風の吹き出し口側にずらす量（ｄ）を、ｄ=ｃ−｛（ａ−ｂ）／２｝（ａは電極の幅方向の長さ、ｂは接続タブの幅方向の長さ、ｃは接続タブ位置決め誤差の最大値）（但しｄ≦０．１の場合は０．１とする）としたことが望ましい。
【発明の効果】
【００１９】
上記のように、前記電極の幅方向の中心位置に対して前記接続タブの幅方向の中心位置を前記熱風の吹き出し口側にずらしたことにより、前記電極の熱風吹き出しノズルから遠い側において、ハンダのはみだしを抑制し、シリコン基板にクラックが発生することを抑制でき、これにより太陽電池モジュール製造工程の歩留りを向上させ、安定して高信頼性の太陽電池モジュールの製造が可能となる。
【００２０】
また前記電極の幅方向の長さが前記接続タブの幅方向の長さと同じか大きく、かつ前記接続タブの幅方向の中心位置を前記熱風の吹き出し口側にずらす量（ｄ）が、ｄ=ｃ−｛（ａ−ｂ）／２｝としたことにより、前記接続タブの熱風吹き出しノズルから遠い側の端部が、前記電極の直上領域内に位置することから、ハンダ付け前に接続タブの位置決め誤差が発生した場合でも、前記電極の熱風吹き出しノズルから遠い側において、より確実にハンダのはみだし量を減少させることが可能となり、シリコン基板にクラックが発生することが抑制できる。
【発明を実施するための最良の形態】
【００２１】
以下、本発明の実施形態を添付図面を用いて詳細に説明する。
【００２２】
図１は本発明に係る太陽電池素子上の電極（以下、バスバー電極）と接続タブの位置関係を模式的に示す幅方向の断面図である。
【００２３】
図１において、２０は太陽電池素子、２１は太陽電池素子上のバスバー電極、２３は接続タブ、２４は熱風吹き出しノズル、２５は押しつけピン、２６はバスバー電極の幅方向の中心位置。２７は接続タブの幅方向の中心位置を示す。
【００２４】
ここにおいて太陽電池素子２０は、正方形、矩形又は円形、半円形などの形状で、その受光面側と裏面側に電極を備えたものである。図２は本発明に係るこの様な太陽電池素子２０の受光面側の外観の一例を示したものである。図２において２０は太陽電池素子、２１は太陽電池素子の受光面側バスバー電極、２２はフィンガー電極を示す。
【００２５】
太陽電池素子２０は、例えば厚み０．３〜０．４ｍｍ程度、大きさ１５０mm角程度の単結晶シリコンや多結晶シリコンで作られている。太陽電池素子２０の内部にはボロンなどのＰ型不純物を多く含んだP層とリンなどのＮ型不純物を多く含んだＮ層が接しているＰN接合（不図示）が形成されている。また太陽電池素子２０の表面にはバスバー電極２１とフィンガー電極２２が形成されている。
【００２６】
このバスバー電極２１とフィンガー電極２２は、銀ペーストなどをスクリーンプリントすることなどにより形成され、またバスバー電極２１の表面は、その保護と接続タブを取り付けやすくするために、そのほぼ全面にわたりハンダコートしても良い。またフィンガー電極２２は幅０．１〜０．２ｍｍ程度で、太陽電池素子の辺に平行に、光生成キャリヤーを収集するため多数本形成される。またバスバー電極２１は収集されたキャリヤーを集電し、接続タブを取り付けるために幅２mm程度で、フィンガー電極２２と垂直に交わるように２〜３本程度形成される。このようなバスバー電極２１とフィンガー電極２２は、太陽電池素子２０の裏面（非受光面）側にも同様に形成されている。
【００２７】
太陽電池素子２０の受光面側と裏面側の電極に接続される接続タブ２３は、接続タブ材を適当な長さに切断して用いる。この接続タブ２３の厚みは０．１〜１．０ｍｍ程度で、またその幅は太陽電池素子２０への接続後に接続タブ２３自身により太陽電池素子２０の受光面に影を作らないように、バスバー電極２１の幅と同じかそれ以下にする。さらに接続タブ２３の長さは、バスバー電極２１のほぼ全てに重なり、さらに所定の太陽電池素子間の間隔と隣り合う太陽電池素子の裏面側バスバー電極（不図示）に重なるようにする。一般的な１５０ｍｍ角の多結晶シリコン太陽電池素子を使用する場合、接続タブ２３の幅は１〜３ｍｍ程度、その長さは２００〜３００ｍｍ程度である。接続タブ２３が受光面側バスバー電極２１のほぼ全てに重なるようにするのは、その抵抗成分を少なくするためである。
【００２８】
またこの接続タブ２３の材質は、銀、銅、アルミニウム、鉄などの良導電性の金属で作製されるが、その導電性やハンダコートのしやすさなどを考慮して、銅で作製されるのが好適である。また接続タブ材は、太陽電池素子２０のバスバ−電極へハンダ付けし易いようにその全面にハンダコートされる。これは銅箔などをハンダ槽にディピングすることにより、片面２０〜７０ミクロン程度のハンダを被覆することにより行われる。
【００２９】
熱風吹き出しノズル２４は、直径３〜１０ｍｍ程度のステンレスパイプなどで作製され、一端は、吹き出される熱風が太陽電池素子２０に当たるように太陽電池素子２０のバスバー電極２１の斜め上方に配置され、他端は熱風の発生装置に繋がれている。またこの熱風吹き出しノズル２４の熱風吹き出し部付近には熱電対などの温度センサー（不図示）が配置され、熱風の温度が所定の温度になるように制御されている。
【００３０】
押しつけピン２５は、ハンダ付け時に接続タブが動かぬ様に接続タブを電極面に押しつけ固定するものであり、エアーシリンダーなどで上下に駆動するようになっている。
【００３１】
これにおいて本発明に係る接続タブ２３のバスバー電極上２１への配置は、バスバー電極２１の幅方向の中心位置２６に対して接続タブの幅方向の中心位置２７を熱風の吹き出し口側、すなわち熱風吹き出しノズル２４の有る方向へずらしたことを特徴とする。
【００３２】
図３はこのようにバスバー電極の幅方向の中心位置２６に対して接続タブの幅方向の中心位置２７を熱風の吹き出し口側へずらした状態でハンダ付けする様子を示したものである。
【００３３】
図３において符号は図１と同様に、２０は太陽電池素子、２１は太陽電池素子上のバスバー電極、２３は接続タブ、２４は熱風吹き出しノズル、２５は押しつけピンを示し、さらに２８は電極と接続タブの間のハンダ、２９は電極からはみ出したハンダを示す。
【００３４】
上述のように接続タブ２３をバスバー電極２１の幅方向の中心位置２６に対して接続タブの幅方向の中心位置２７を熱風の吹き出し口側へずらして配置して、その後押しつけピン２５を降ろして、接続タブをずれた状態で動かぬようにバスバー電極面上に固定し、次に熱風吹き出しノズル２４から４００から５００℃程度の熱風を数秒程度、接続タブ２３上へ吹き付け、接続タブ２３のハンダとバスバー電極２１のハンダを融かし両者を接続する。その後ハンダが固化したら、押しつけピン２５を上げる。
【００３５】
このようにすることではみ出したハンダ２９は、バスバー電極２１の熱風の吹き出し口側、すなわち熱風吹き出しノズル２４の有る方向にできることとなる。さらに接続タブ２３のハンダとバスバー電極２１のハンダが溶融後固化するときは、まず熱風吹き出しノズル２４から遠い方の電極と接続タブの間のハンダ２８から固化し、最後に電極からはみ出したハンダ２９が固化することとなる。
【００３６】
これにより電極と接続タブの間のハンダ１５に、その固化に伴う収縮が発生しても、はみ出したハンダ２９はまだ固化していないためバスバー電極２１側へ動くことが可能となり、この部分に応力が働くことが無い。
【００３７】
よってこのはみ出したハンダ２９を引っ張るように働く応力が無いため、はみ出したハンダ２９の端部直下のシリコン基板にクラックが発生することが無く、太陽電池モジュールの信頼性を低下させることが無く、また太陽電池モジュール製造工程において、その歩留りを低下させることも無い。
【００３８】
また本発明に係る接続タブ取り付け方法においては、前記バスバー電極の幅方向の長さが前記接続タブの幅方向の長さと同じか大きく、かつ前記接続タブの幅方向の中心位置を前記熱風の吹き出し口側にずらす量（ｄ）が、ｄ=ｃ−｛（ａ−ｂ）／２｝（但しａはバスバー電極の幅方向の長さ、ｂは接続タブの幅方向の長さ、ｃは接続タブ位置決め誤差の最大値）であることが望ましい。
【００３９】
すなわち図１において、接続タブ２３の幅方向は太陽電池素子の受光面にできるだけそれ自体で影をつくらないように、バスバー電極２１の幅と同じか小さくすることが望ましい。
【００４０】
さらにバスバー電極の幅方向の中心位置２６から接続タブの幅方向の中心位置２７を熱風の吹き出し口側にずらす量ｄは、ａは電極の幅方向の長さ、ｂは接続タブの幅方向の長さ、ｃは接続タブ位置決め誤差の最大値として、ｄ=ｃ−｛（ａ−ｂ）／２｝で求められる量とすることが望ましい。ここにおいてｃは自動化ラインなどで、接続タブの中心位置２７をバスバー電極の幅方向の中心位置２６に合うように、接続タブ２３が搬送、配置されるように調整した場合でも、その搬送、配置の位置決め精度に起因する誤差が生じ、所定の位置からずれる場合があり、そのずれる量の最大値であり、テストを繰り返し行うことにより求められる。よってｃは基準から±ｃよりずれる時に、その絶対値を取ったものである。
【００４１】
例えばバスバー電極の幅方向の長さ（ａ）を２．０ｍｍ、接続タブの幅方向の長さ（ｂ）を１．８、接続タブ位置決め誤差の最大値（ｃ）を０．４とした場合、接続タブの幅方向の中心位置２７のずらす量（ｄ）は、次のようになる。
【００４２】
ｄ＝０．４−｛（２．０−１．８）／２｝＝０．４−０．１＝０．３（ｍｍ）
よって、この場合はバスバー電極の幅方向の中心位置２６から接続タブの幅方向の中心位置２７を熱風の吹き出し口側に０．３ｍｍずらして設定すれば良い。
【００４３】
また接続タブ位置決め誤差の最大値（ｃ）が、もし０．１以下の小さい値となり、このためｄがマイナスも含めて０．１以下となった場合は、ｄは０．１とする。これによりいかなる場合も、バスバー電極の幅方向の中心位置２６に対する接続タブの幅方向の中心位置２７を、熱風の吹き出し口側にずらすこととなり、熱風吹き出しノズル１２から遠いバスバー電極側にハンダがはみ出すことを抑制できる。
【００４４】
このようにバスバー電極の幅方向の長さが前記接続タブの幅方向の長さと同じか大きくし、かつ前記接続タブの幅方向の中心位置を前記熱風の吹き出し口側にずらす量（ｄ）をｄ=ｃ−｛（ａ−ｂ）／２｝としたことにより、ずらし量を最適化できるとともに、接続タブの熱風吹き出しノズルから遠い側の端部が、バスバー電極の直上領域内に位置することから、ハンダ付け前に接続タブの位置決め誤差が発生した場合でも、バスバー電極の熱風吹き出しノズルから遠い側において、より確実にハンダのはみだしを抑制させることが可能となり、シリコン基板にクラックが発生することが抑制できる。
【００４５】
従って、太陽電池モジュールの信頼性を低下させることが無く、また太陽電池モジュール製造工程において、その歩留りを低下させることも無い効果を確実なものとすることができる。
【００４６】
太陽電池モジュールの製造工程においては、一般に上述のように接続タブを用いて太陽電池素子を複数個直線的に直列又は並列に接続して、太陽電池素子同士を電気的に接続している。図４は本発明に係る接続タブ取り付け方法を用いて、二つの太陽電池素子を直列に接続した状態を示したものの一例である。
【００４７】
図４において２０ａ、２０ｂは太陽電池素子、２１はバスバー電極、２３ａ、２３ｂ、は接続タブを示す。
【００４８】
図４に示すように太陽電池素子２０ａ、２０ｂ同士を直列に接続するには、太陽電池素子２０ａの裏面側バスバー電極（不図示）に接続されている接続タブ２３ｂを他方の太陽電池素子２０ｂの受光面側バスバー電極２１に上述のようにハンダ付けにより接続する。このように太陽電池素子の裏面側のバスバー電極に接続した接続タブを次の太陽電池素子の受光面側のバスバー電極に接続することを所定の個数の太陽電池素子について繰り返すことにより、所定の電力の発電を得ることができる。
【００４９】
図５は本発明に係る太陽電池モジュールの構造の一例を示す図である。
【００５０】
図５において、３１は透光性基板、３２は受光面側充填材、３３は太陽電池素子、３４は裏面側充填材、３５は裏面シート、３６は接続タブである。
【００５１】
以下、各部材について説明する。
【００５２】
透光性基板３１としては、ガラスやポリカーボネート樹脂などからなる基板が用いられる。ガラス板ついては、白板ガラス、強化ガラス、倍強化ガラス、熱線反射ガラスなどが用いられるが、一般的には厚さ３ｍｍ〜５ｍｍ程度の白板強化ガラスが使用される。他方、ポリカーボネート樹脂などの合成樹脂からなる基板を用いた場合には、厚みが５ｍｍ程度のものが多く使用される。
【００５３】
受光面側充填材３２及び裏面側充填材３４は、エチレン−酢酸ビニル共重合体（以下ＥＶＡと略す）やポリビニルブチラール（ＰＶＢ）から成り、Ｔダイと押し出し機により厚さ０．４〜１ｍｍ程度のシート状に成形されたものが用いられる。これらはラミネート装置により減圧下にて加熱加圧を行うことで、軟化、融着して他の部材と一体化する。
【００５４】
ＥＶＡやＰＶＢは、酸化チタンや顔料等を含有させ白色等に着色させることがあるが、本発明に係る太陽電池モジュールの製造方法における受光面側充填材２２においては、着色させると太陽電池素子３３に入射する光量が減少し、発電効率が低下するため透明とする。
【００５５】
また、裏面側充填材３４に用いるＥＶＡやＰＶＢは透明でも構わないし、太陽電池モジュールの設置される周囲の設置環境に合わせ酸化チタンや顔料等を含有させ白色等に着色させても構わない。
【００５６】
裏面シート３５は水分を透過しないようにアルミ箔を挟持した耐候性を有するフッ素系樹脂シートやアルミナまたはシリカを蒸着したポリエチレンテレフタレ−ト（ＰＥＴ）シートなどが用いられる。
【００５７】
次に太陽電池モジュールの作製方法について述べる。
【００５８】
太陽電池モジュールを作製するにあたっては、透光性基板３１上に受光面側充填材３２を置き、さらにその上に本発明に係る方法で接続タブ３６により接続した太陽電池素子３３を置く。さらにその上に裏面側充填材３４、裏面シート３５を順次積層する。このような状態にして、ラミネーターにセットし、減圧下にて加圧しながら１００〜２００℃で例えば１５分〜１時間加熱することにより、これらが一体化する。
【００５９】
なお、本発明は上記実施形態に限定されるものではなく、本発明の範囲内で多くの修正及び変更を加えることができる。例えば太陽電池素子は単結晶や多結晶シリコンなどの結晶系太陽電池に限定されるものではなく、薄膜系太陽電池などでも適用可能である。
【００６０】
またハンダ付けに使用するハンダは、錫−鉛の共晶ハンダ等の他鉛フリーハンダでも実施可能である。
【図面の簡単な説明】
【００６１】
【図１】本発明に係るバスバー電極と接続タブの位置関係を模式的に示す幅方向の断面図である。
【図２】本発明に係るこの様な太陽電池素子の受光面側の外観の一例を示したものである。
【図３】バスバー電極の幅方向の中心位置に対して接続タブの幅方向の中心位置を熱風の吹き出し口側へずらした状態でハンダ付けする様子を示したものである。
【図４】本発明に係る接続タブ取り付け方法を用いて、二つの太陽電池素子を直列に接続した状態を示したものの一例である。
【図５】本発明に係る太陽電池モジュールの構造の一例を示す図である。
【図６】従来の太陽電池モジュールの受光面側の外観の一例を示した図である。
【図７】従来の太陽電池素子に接続タブを接続する装置の一例を示したものである。
【図８】電極の幅方向の中心位置に対し接続タブの幅方向の中心位置が熱風吹き出し方向ずれた場合を模式的に示す幅方向の断面図である。
【符号の説明】
【００６２】
１、３１：透光性基板
２、２０、２０ａ、２０ｂ、３３：太陽電池素子
３、２３、２３ａ、２３ｂ、３６：接続タブ
４：モジュール枠
１０：太陽電池素子の電極
１１、２５：押しつけピン
１２、２４：熱風吹き出しノズル
１５：電極と接続タブの間のハンダ
１６：電極からはみ出したハンダ
１７：クラック
２１：バスバー電極
２２：フィンガー電極
２６：バスバー電極の幅方向の中心位置
２７：接続タブの幅方向の中心位置
２８：電極と接続タブの間のハンダ
２９：電極からはみ出したハンダ
３２：受光面側充填材
３４：裏面側充填材
３５：裏面シート
【図１】
2006278742.tif 000003
【図２】
2006278742.tif 000004
【図３】
2006278742.tif 000005
【図４】
2006278742.tif 000006
【図５】
2006278742.tif 000007
【図６】
2006278742.tif 000008
【図７】
2006278742.tif 000009
【図８】
2006278742.tif 000010